(57)【要約】【課題】フェージング等により共通パイロットチャネルの受信電力が低下した場合でも高精度の伝送路応答推定を行えるようにし、これにより受信品質の安定性向上を図る。【解決手段】共通パイロット信号及び個別パイロット信号の平均値をそれぞれ平均化器５ｅ，５ｆで求めた後、その電力値を電力測定器５ｇ，５ｈでそれぞれ検出する。そして、重み生成・合成器５ｑにより、上記検出された各電力値の比に応じて上記共通パイロット信号の平均値と個別パイロット信号の平均値とを合成することにより伝送路応答推定値を求め、この伝送路応答推定値に基づいて個別チャネルの復調信号の位相補正を行うようにしたものである。【選択図】　　図６
2004120643.tif 000002
【特許請求の範囲】
【請求項１】
基地局から異なる伝送路を経由して到来する複数のパスをそれぞれフィンガで受信し、その受信信号を伝送路応答推定値をもとに位相を合わせて合成するＲＡＫＥ受信機において、
前記基地局から共通パイロットチャネルにより送られる既知の共通パイロット信号に基づいて、第１の伝送路応答推定値を求める第１の推定手段と、
前記基地局から個別チャネルにより送られる既知の個別パイロット信号に基づいて、第２の伝送路応答推定値を求める第２の推定手段と、
前記共通パイロットチャネルの受信電力を検出する第１の検出手段と、
前記個別チャネルの受信電力を検出する第２の検出手段と、
前記第１の検出手段により検出された受信電力値と前記第２の検出手段により検出された受信電力値とに基づいて前記第１の伝送路応答推定値と前記第２の伝送路応答推定値とを合成し、この合成された伝送路応答推定値を前記各受信信号の位相合わせのための出力する合成手段とを具備したことを特徴とするＲＡＫＥ受信機。
【請求項２】
前記第２の推定手段は、連続する複数のスロットの個別パイロット信号を平均化することにより、個別パイロット信号による伝送路応答推定値を求めることを特徴とする請求項１記載のＲＡＫＥ受信機。
【請求項３】
前記合成手段は、前記第１の検出手段により検出された受信電力値と前記第２の検出手段により検出された受信電力値との比を算出し、この算出された比に基づいて前記第１の伝送路応答推定値と前記第２の伝送路応答推定値とを最大比合成することを特徴とする請求項１記載のＲＡＫＥ受信機。
【請求項４】
コンピュータの制御の下に、基地局から異なる伝送路を経由して到来する複数のパスをそれぞれフィンガで受信し、その受信信号を伝送路応答推定値をもとに位相を合わせて合成するＲＡＫＥ受信機で使用される受信制御プログラムであって、
前記基地局から共通パイロットチャネルにより送られる既知の共通パイロット信号に基づいて、第１の伝送路応答推定値を算出する処理と、
前記基地局から個別チャネルにより送られる既知の個別パイロット信号に基づいて、第２の伝送路応答推定値を算出する処理と、
前記共通パイロットチャネルの受信電力を算出する処理と、
前記個別チャネルの受信電力を算出する処理と、
前記算出された共通パイロットチャネルの受信電力値と前記算出された個別チャネルの受信電力値とに基づいて前記第１の伝送路応答推定値と前記第２の伝送路応答推定値とを合成し、前記各受信信号を合成するための伝送路応答推定値を得る処理とを
前記コンピュータに実施させることを特徴とする受信制御プログラム。
【発明の詳細な説明】
【０００１】
【発明の属する技術分野】
この発明は、無線アクセス方式としてＤＳ−ＣＤＭＡ（Ｄｉｒｅｃｔ　Ｓｅｑｕｅｎｃｅ　ＣｏｄｅＤｉｖｉｓｉｏｎ　Ｍｕｌｔｉｐｌｅ　Ａｃｃｅｓｓ）方式を採用した無線通信装置に設けられるＲＡＫＥ受信機とその受信制御プログラムに関する。
【０００２】
【従来の技術】
移動通信システムでは、基地局と移動局との間の無線伝搬路上で山や建物などの影響によりマルチパスが発生する。マルチパスは、互いに干渉しあって周波数選択性フェージングを引き起こし、通信品質を劣化させる原因となる。特に、データ伝送速度が例えば３８４ｋｂｐｓ　のように高速のシステムにあってはその影響が無視できない。
【０００３】
そこで、ＤＳ−ＣＤＭＡ方式を採用した無線通信装置ではＲＡＫＥ受信機を使用している。ＲＡＫＥ受信機は、基地局から異なる伝送経路をたどって到来する複数のパスをサーチャと呼ばれる受信回路でサーチし、受信レベルが所定レベル以上の複数のパスを検出する。そして、この検出された複数のパスをそれぞれＲＡＫＥフィンガと呼ばれる受信回路で受信復調したのち、その各復調信号を合成器で合成することにより復調信号を得るものである。このＲＡＫＥ受信機を使用することで、フェージング等の通信環境の変化に対し通信品質を高く保持することができる。
【０００４】
ところでＲＡＫＥ受信機では、各ＲＡＫＥフィンガにより得られた復調信号を合成する際に、パスごとに伝送路応答推定値を算出して、この伝送路応答推定値をもとに各復調信号の位相を補正することにより各復調信号の位相を合わせる必要がある。そこで、一般には基地局が常時放送している共通パイロット信号あるいは個別パイロット信号を受信し、これらの一方のパイロット信号の受信出力をもとに伝送路応答推定値を算出するようにしている（例えば、特許文献１参照。）。
【０００５】
【特許文献１】
特開２００２−４４１７２号公報
【０００６】
【発明が解決しようとする課題】
共通パイロットチャネルは、情報通信時に各移動局に個別に割り当てられる個別チャネルに比べ送信電力が大きい。このため、基地局から遠く離れた場所においても、比較的安定な伝送路推定が可能である。しかし、共通パイロットチャネルは、個別チャネルと異なり送信電力のクローズドループ制御が行われていない。このため、強いフェージングが発生してその受信電力が著しく低下すると、この低下期間において伝送路応答推定の精度が低下し、その結果ＲＡＫＥ受信特性の劣化を招くという問題点があった。また、個別チャネルのパイロットシンボルのみを使用した伝送路応答推定は、もともとパイロットシンボル数が少ないことなどから推定精度が低く、ＲＡＫＥ受信特性の劣化を招くという問題点があった。
【０００７】
この発明は上記事情に着目してなされたもので、その目的とするところは、フェージング等により共通パイロットチャネルの受信電力が低下した場合でも高精度の伝送路応答推定を行えるようにし、これにより受信品質の安定性向上を図ったＲＡＫＥ受信機とその受信制御プログラムを提供することにある。
【０００８】
【課題を解決するための手段】
上記目的を達成するためにこの発明は、基地局から異なる伝送路を経由して到来する複数のパスをそれぞれフィンガで受信し、その受信信号を伝送路応答推定値をもとに位相を合わせて合成するＲＡＫＥ受信機にあって、基地局から共通パイロットチャネルにより送られる既知の共通パイロット信号に基づいて第１の伝送路応答推定値を求めると共に、基地局から個別チャネルにより送られる既知の個別パイロット信号に基づいて第２の伝送路応答推定値を求め、かつ上記共通パイロットチャネル及び個別チャネルの受信電力をそれぞれ検出して、この検出された各受信電力値に基づいて上記第１及び第２の伝送路応答推定値を合成し、この合成された伝送路応答推定値を各フィンガの受信信号の位相補正に供するようにしたものである。
【０００９】
したがってこの発明によれば、共通パイロット信号と、個別チャネルにより伝送される個別パイロット信号とが最大比合成されて伝送路応答推定が行われる。このため、伝送路品質が比較的良好な状態では、送信電力が比較的大きい共通パイロット信号を主に使用した高精度の伝送路応答推定が行われ、一方フェージング等の影響により共通パイロット信号の受信電力が著しく低下した状態では、送信電力のクローズドループ制御がなされた個別パイロット信号を主に使用した伝送路応答推定が行われる。したがって、伝送路状態を問わず安定な伝送路応答推定を行うことが可能となり、これによりＲＡＫＥ受信の品質を高く保持することができる。
【００１０】
【発明の実施の形態】
（第１の実施形態）
図１は、この発明に係わる移動通信システムの概略構成図である。システムのサービスエリアには複数の基地局（同図では便宜上１局のみを図示）ＢＳが分散配置され、これらの基地局ＢＳはそれぞれセルと呼ばれる無線エリアを形成している。移動局ＭＳ１，ＭＳ２，…，ＭＳｒは、上記無線エリア内において例えば最寄りの基地局に対し同期を確立したのち通信を行う。
【００１１】
基地局ＢＳと移動局ＭＳ１，ＭＳ２，…，ＭＳｒとの間の無線アクセス方式には、ＤＳ−ＣＤＭＡ（Ｄｉｒｅｃｔ　Ｓｅｑｕｅｎｃｅ　Ｃｏｄｅ　Ｄｉｖｉｓｉｏｎ　Ｍｕｌｔｉｐｌｅ　Ａｃｃｅｓｓ）方式が使用され、また双方向多重方式にはＦＤＤ（Ｆｒｅｑｕｅｎｃｙ　Ｄｉｖｉｓｉｏｎ　Ｄｕｐｌｅｘ）方式が使用される。
【００１２】
基地局ＢＳから移動局ＭＳ１，ＭＳ２，…，ＭＳｒへ向かうダウンリンクＤＬ１，ＤＬ２，…では、移動局ＭＳ１，ＭＳ２，…，ＭＳｒに対し共通に送信される共通パイロットチャネル（ＣＰＩＣＨ：Ｃｏｍｍｏｎ　Ｐｉｌｏｔ　Ｃｈａｎｎｅｌ）と、移動局ＭＳ１，ＭＳ２，…，ＭＳｒに対し個別に割り当てられる個別チャネル（ＤＰＣＨ：Ｄｅｄｉｃａｔｅｄ　Ｐｈｙｓｉｃａｌ　Ｃｈａｎｎｅｌ）とが、異なるチャネライゼーションコードにより符号分割多重されて伝送される。
【００１３】
図２はその構成を示すもので、共通パイロットチャネルでは共通パイロット信号が伝送される。共通パイロット信号は、移動局ＭＳ１，ＭＳ２，…，ＭＳｒが基地局ＢＳに対し同期を確立するためと、基地局ＢＳから到来する信号のパスサーチを行うために使用される。これに対し各個別チャネルではそれぞれ、ユーザデータＤＡＴＡ１，ＤＡＴＡ２，…と、制御データ（図示せず）と、個別パイロット（ＰＩＬＯＴ）とが時分割多重されて伝送される。個別パイロットは、受信信号を同期検波するために使用される。なお、共通パイロット信号及び個別パイロット信号は共に、既知のパターン（例えばすべて“１”）からなる。
【００１４】
また、上記共通パイロットチャネルと個別チャネルのうち、個別チャネルに対しては送信電力のクローズドループ制御が行われている。ダウンリンクにおける送信電力のクローズドループ制御は、移動局ＭＳ１，ＭＳ２，ＭＳｒにおける個別チャネルの受信レベルを一定に保持するためのもので、例えば以下のように実現される。図３はこのダウンリンク送信電力制御を実現するための基地局及び移動局の構成を示す機能ブロック図である。
【００１５】
すなわち、受信側の移動局ＭＳは、受信された個別チャネルのデータ部のＳＩＲ（Ｓｉｇｎａｌ−ｔｏ−Ｉｎｔｅｒｆｅｒｅｎｃｅ　Ｒａｔｉｏ）をＳＩＲ測定部ｍ１で測定し、このＳＩＲの測定値をＳＩＲ比較部ｍ４によりターゲットとするＳＩＲのしきい値と比較する。そして、この比較結果をもとに、差を零に近づけるためのＴＰＣ（ＴｒａｎｓｍｉｔＰｏｗｅｒ　Ｃｏｎｔｒｏｌ）コマンドをＴＰＣコマンド生成部ｍ５で生成し、このＴＰＣコマンドを制御データに含めて基地局ＢＳへ送信する。ＴＰＣコマンドは二値信号からなり、基地局ＢＳに対し１ｄＢステップで電力の増減を指示する。
【００１６】
これに対し基地局ＢＳは、ＤＰＣＨ送信部ｂ２から出力された個別チャネルの信号レベルを、上記移動局ＭＳから到来したＴＰＣコマンドに従いレベル制御部ｂ３によりステップ的に可変制御する。この信号レベルが可変制御された個別チャネルの送信信号は、他チャネル送信部ｂ１から出力された共通パイロットチャネル等と加算部ｂ４で加算されたのち、移動局ＭＳへ送信される。以上の送信電力制御はインナーループ制御と呼ばれる。
【００１７】
また移動局ＭＳは、受信された個別チャネルのデータ部のＣＲＣ（Ｃｙｃｌｉｃ　Ｒｅｄｕｎｄａｎｃｙ　Ｃｈｅｃｋ）の検査をＣＲＣ検査部ｍ２で行い、この検査結果をもとに上記ＳＩＲのしきい値をターゲットＳＩＲ更新部ｍ３で更新する。このＳＩＲしきい値の更新制御はアウターループ制御と呼ばれる。
【００１８】
さて、この発明の第１の実施形態に係わる移動局は次のように構成される。図４はその全体の構成を示すブロック図である。
すなわち、基地局ＢＳから到来した無線信号はアンテナ１で受信されたのち無線部２に入力される。無線部２では、上記受信された無線信号の低雑音増幅、ベースバンド周波数への周波数変換処理、及び直交復調処理が行われる。そして、この無線部２から出力された受信ベースバンド信号は、アナログ／ディジタル変換器（Ａ／Ｄ）３でディジタル信号に変換された後、ＲＡＫＥ受信機４に入力される。
【００１９】
ＲＡＫＥ受信機４は、ＲＡＫＥ合成部５と、パスサーチ部６と、受信制御部７と、メモリ８とから構成される。
【００２０】
このうち先ずパスサーチ部６は、例えば図５に示すように複数のサーチフィンガ６１〜６ｍを備えている。各サーチフィンガ６１〜６ｍはそれぞれ、相関器６ａと、スクランブリングコード発生器６ｂと、電力測定器６ｃとを有する。
【００２１】
そして、受信制御部７の指示に従いスクランブリングコード発生器６ｂが発生するスクランブリングコードの位相を設定した後、相関器６ａにおいて受信ベースバンド信号に含まれる共通パイロット信号と、上記スクランブリングコード発生器６ｂから発生されるスクランブリングコードとの相関値を計算する。そして、この算出された相関値の電力値を電力測定器６ｃにより検出し、この検出された相関電力値を受信制御部７に供給する。
【００２２】
受信制御部７は、上記各サーチフィンガ６１〜６ｍから供給された相関電力値をもとに複数のパスを検出し、これらのパスの遅延時間と相関電力値をメモリ８に書き込む。そして、このパスサーチにより得られた情報に基づいて受信対象の複数のパスを選択し、この選択した各パスをＲＡＫＥ合成部５の後述するＲＡＫＥフィンガに割り当てる。この各ＲＡＫＥフィンガに対する受信対象パスの割当ては、スクランブリングコード及びチャネライゼーションコードの各位相をそれぞれ、スクランブリングコード発生器及びチャネライゼーションコード発生器にセットすることにより行われる。
【００２３】
次に、ＲＡＫＥ合成部５は以下のように構成される。図６はその構成を示す回路ブロック図である。ＲＡＫＥ合成部５は、複数のＲＡＫＥフィンガ７１〜７ｎと、合成器５０とから構成される。
【００２４】
この発明の実施形態は、共通パイロット信号から求めた伝送路応答推定値と個別パイロット信号から求めた伝送路応答推定値とをその受信電力比をもとに最大比合成し、この合成された伝送路応答推定値を用いて個別チャネルの復調信号を位相補正するようにしたものである。
【００２５】
ＲＡＫＥフィンガ７１〜７ｎは、受信制御部７により割り当てられた複数の受信対象パスを復調するためのもので、共通パイロット用逆拡散器５ａと、個別チャネル用逆拡散器５ｂとを備えている。これらの逆拡散器５ａ，５ｂはそれぞれ、受信ベースバンド信号に含まれる共通パイロットチャネルの信号及び個別チャネルの信号を、スクランブリングコード発生器５ｃ及びチャネライゼーションコード発生器５ｄにより発生されるスクランブリングコード及びチャネライゼーションコードにより逆拡散する。この逆拡散により再生された共通パイロット信号及び個別パイロット信号はそれぞれ平均化器５ｅ，５ｆに入力され、ここで複数シンボル（例えば４シンボル）ごとに平均化される。この平均化により得られた共通パイロット信号及び個別パイロット信号のシンボル平均値（複素数）はそれぞれ電力測定器５ｇ，５ｈに入力され、ここで電力値に変換される。
【００２６】
この実施形態のＲＡＫＥ合成部５においては、各ＲＡＫＥフィンガ７１〜７ｎに重み生成・合成器５ｑが設けてある。この重み生成・合成器５ｑは、平均化器５ｅにより得られる共通パイロット信号の平均値（複素数）に対し、電力測定器５ｇにより求められた共通パイロット信号の電力値（のルート）を乗算する。また、平均化器５ｆにより得られる個別パイロット信号の平均値（複素数）に対し、電力測定器５ｈにより求められた個別パイロット信号の電力値（のルート）を乗算する。そして、上記電力値が乗算された共通パイロット信号の平均値と個別パイロット信号の平均値とを合成し、この合成された平均値を伝送路応答推定値とする。
【００２７】
位相・重み補正部５ｐは、上記重み生成・合成器５ｑにより求められた伝送路応答推定値の共役複素数値を、バッファ５ｉに保持されている個別チャネルの復調信号に複素乗算し、これにより位相が補正された個別チャネルの復調信号を合成器５０へ出力する。
【００２８】
合成器５０は、上記各ＲＡＫＥフィンガ７１〜７ｎから出力された各パスの個別チャネル復調信号をシンボル合成する。そして、この合成された復調信号を、音声データやビデオデータを復号して再生するために復号処理部９へ出力する。
【００２９】
次に、以上のように構成されたＲＡＫＥ受信機４の動作を説明する。
受信ベースバンド信号のうち共通パイロット信号は、共通パイロット用逆拡散器５ａにおいてスクランブリングコードにより逆拡散されたのち平均化器５ｅに入力される。そして、ここで例えば図８（ａ）に示すように４シンボルＨ０，Ｈ１，Ｈ２，…ごとに平均化され、これにより共通パイロットチャネルに基づく伝送路応答推定値が算出される。一方、受信ベースバンド信号に含まれる個別チャネルの信号は、個別パイロット用逆拡散器５ｂにおいてチャネライゼーションコードにより逆拡散されたのち平均化器５ｆに入力される。そして、ここで例えば図８（ｂ）に示すように個別チャネル中の個別パイロット信号が取り出され、この個別パイロット信号について４シンボルＪ０，Ｊ１，…ごとに平均化がなされる。かくして、個別チャネルに基づく伝送路応答推定値が算出される。
【００３０】
例えば、図７の時刻ｔ０〜ｔ１に示す期間のように、フェージングの影響が少なく、共通パイロットチャネルが十分大きな電力レベルで受信されているものとする。この場合には、受信された共通パイロット信号の平均値の電力が個別パイロット信号の平均値の電力以上になるため、重み生成・合成器５ｑでは最大比合成により主に共通パイロット信号の平均値に基づく伝送路応答推定値となる。そして、位相・重み補正部５ｐでは、上記合成された伝送路応答推定値が個別チャネルの復調信号に乗算され、これにより個別チャネルの復調信号の位相が補正される。
【００３１】
これに対し、図７の時刻ｔ１〜ｔ２に示す期間のように、フェージング等の影響により共通パイロットチャネルの受信電力値が大きく低下したとする。しかしながら、この場合においても個別チャネルの受信電力値は、先に述べたダウンリンクの送信電力制御によりほぼ一定に保持される。このため、個別パイロット信号の平均値の電力が共通パイロット信号の平均値の電力を上回り、この結果重み生成・合成器５ｑでは最大比合成により主に個別パイロット信号の平均値に基づく伝送路応答推定値となる。そして、位相・重み補正部５ｐでは、上記合成された伝送路応答推定値が個別チャネルの復調信号に乗算され、これにより個別チャネルの復調信号の位相が補正される。
【００３２】
そうして各ＲＡＫＥフィンガ７１〜７ｎにおいて、復調されたのち伝送路応答推定値をもとに位相補正されて出力された各パスの復調信号は、合成器５０でシンボル合成されたのち、ＲＡＫＥ受信機４の復調信号として復号処理部９に入力される。
【００３３】
このように第１の実施形態では、共通パイロット信号及び個別パイロット信号の平均値をそれぞれ平均化器５ｅ，５ｆで求めた後、その電力値を電力測定器５ｇ，５ｈでそれぞれ検出する。そして、重み生成・合成器５ｑにより、上記検出された各電力値の比に応じて上記共通パイロット信号の平均値と個別パイロット信号の平均値とを合成することにより伝送路応答推定値を求め、この伝送路応答推定値に基づいて個別チャネルの復調信号の位相補正を行うようにしている。
【００３４】
したがって第１の実施形態によれば、常に共通パイロット信号の平均値と個別パイロット信号の平均値の両方を使用して伝送路応答推定値が算出され、この算出された伝送路応答推定値に基づいて個別チャネルの復調信号が位相補正される。このため、ダウンリンクの伝送品質が良好な時でもまた劣化した時でも、常に高精度の伝送路応答推定値を求めることができ、これにより安定なＲＡＫＥ受信動作を行って受信品質を高く保持することができる。
【００３５】
（第２の実施形態）
前記第１の実施形態では、ＲＡＫＥ合成部５をハードウエアにより構成した場合を例にとって説明した。しかし、上記ＲＡＫＥ合成部５の処理はソフトウエアで実現することも可能である。
【００３６】
図９は、第１の実施形態で述べたＲＡＫＥ合成部（図６）の処理を、ＣＰＵ又はＤＳＰを備えた受信制御部７がソフトウエアにより処理する場合の処理手順とその処理内容の一例を示すフローチャートである。
【００３７】
受信制御部７は、ディジタル化された受信ベースバンド信号を例えば拡散符号のチップレートで取り込み、ステップ１１ａ，１１ｅによりそれぞれ共通パイロットチャネルの信号及び個別チャネルの信号を逆拡散する。次にステップ１１ｂにより、上記逆拡散により再生された共通パイロット信号の４シンボルごとの平均値を算出する。またそれと共に、ステップ１１ｆにより、上記逆拡散により再生された個別チャネル信号のスロットごとに個別パイロット信号を抽出し、この抽出された個別パイロット信号の４シンボルごとの平均値を算出する。
【００３８】
そうして共通パイロット信号の平均値及び個別パイロット信号の平均値が算出されると、続いてステップ１１ｃ，１１ｇにより上記算出された各平均値の電力値を算出し、この算出された各電力値をステップ１１ｄ，１１ｈによりそれぞれ上記共通パイロット信号の平均値及び個別パイロット信号の平均値に乗算する。そして最後に、上記電力値が乗算された共通パイロット信号の平均値及び個別パイロット信号の平均値をステップ１１ｉにおいて合成し、この合成された平均値の複素数を伝送路応答推定値として位相・重み補正部５ｐに与えられ、受信制御部７内のバッファ又はメモリ８に保持されている個別チャネルの受信データの位相が補正される。
【００３９】
以上のようにＲＡＫＥ合成部の大部分をソフトウエアにより実現することで、ハードウエアの回路規模をさらに小型化することができ、これによりＲＡＫＥ受信機延いては移動局の構成を小型化することが可能となる。
【００４０】
（その他の実施形態）
前記各実施形態では、共通パイロット信号及び個別パイロット信号について４シンボルごとに平均を求めるようにしたが、５以上のシンボル単位で平均値を求めるようにしてもよい。
【００４１】
また、個別パイロット信号の平均値を求めるに際し、個別チャネルの１スロットごとにその個別パイロット信号（４シンボル）の平均値を求めるようにしたが、連続する複数のスロットの個別パイロット信号を平均するようにしてもよい。このようにすると、個別パイロット信号の平均値、つまり伝送路応答推定値の精度をさらに高めることが可能となる。
【００４２】
さらに、その場合に各スロットで求められた個別パイロット信号の平均値をもとにスロット間で一次補間処理を行うようにしてもよい。このような処理を行うと、ドップラ周波数が高い場合にも高精度の伝送路応答推定値を求めることができる。
【００４３】
また、前記第２の実施形態では、逆拡散処理（ステップ１１ａ，１１ｅ）から各平均値の合成処理（ステップ１１ｉ）までの一連の処理をソフトウエアにより実現する場合について説明した。しかし、それに限るものではなく、上記一連の処理のうち逆拡散処理についてはハードウエアで構成するようにしてもよい。このようにすると、受信制御部７の処理速度を遅くすることができ、これによりＣＰＵ又はＤＳＰの低価格化や低消費電力化を図ることが可能となる。
【００４４】
その他、移動局の種類や構成や、ＲＡＫＥ受信機の回路構成、ＲＡＫＥ合成部における処理内容、ＲＡＫＥ合成部の処理を実現する際のハードウエアとソフトウエアとの境界等についても、この発明の要旨を逸脱しない範囲で種々変形して実施できる。
【００４５】
【発明の効果】
以上詳述したようにこの発明によれば、共通パイロット信号及び個別パイロット信号を合成して伝送路応答推定を行うようにしたので、フェージング等により共通パイロットチャネルの受信電力が低下した場合でも高精度の伝送路応答推定を行うことができ、これにより受信品質の安定性向上を図ったＲＡＫＥ受信機とその受信制御プログラムを提供することができる。
【図面の簡単な説明】
【図１】この発明に係わる移動通信システムの概略構成図。
【図２】基地局から移動局へ向かうダウンリンクにおけるチャネル伝送フォーマットを示す図。
【図３】ダウンリンク送信電力制御を実現するための基地局及び移動局の構成を示す機能ブロック図。
【図４】この発明の第１の実施形態に係わる移動局の全体構成を示すブロック図。
【図５】図４に示す移動局のＲＡＫＥ受信機に設けられるパスサーチ部の構成を示すブロック図。
【図６】図４に示す移動局のＲＡＫＥ受信機に設けられるＲＡＫＥ合成部の構成を示すブロック図。
【図７】移動局における共通パイロット及び個別パイロットの受信電力の変動の一例を示す図。
【図８】共通パイロットチャネル及び個別チャネルの伝送フォーマットと平均化処理の一例を説明するための図。
【図９】第１の実施形態で述べたＲＡＫＥ合成部の処理を、ＣＰＵ又はＤＳＰを備えた受信制御部がソフトウエアにより処理する場合の処理手順とその処理内容の一例を示すフローチャート。
【符号の説明】
ＢＳ…基地局
ＭＳ１〜ＭＳｒ…移動局
ＤＬ１，ＤＬ２…ダウンリンク
ＵＬ１，ＵＰ２…アップリンク
１…アンテナ
２…無線部
３…アナログ／ディジタル変換器（Ａ／Ｄ）
４…ＲＡＫＥ受信機
５…ＲＡＫＥ合成部
５ａ…共通パイロット用逆拡散器
５ｂ…個別チャネル用逆拡散器
５ｃ…スクランブリングコード発生器
５ｄ…チャネライゼーションコード発生器
５ｅ，５ｆ…平均化器
５ｇ，５ｈ…電力測定器
５ｉ…バッファ
５ｐ…位相・重み補正部
５ｑ…重み生成・合成器
６…パスサーチ部
６ａ…相関器
６ｂ…スクランブリングコード発生器
６ｃ…電力測定器
７…受信制御部
８…メモリ
９…復号処理部
５０…合成器
６１〜６ｍ…サーチフィンガ
７１〜７ｎ…ＲＡＫＥフィンガ
【図１】
2004120643.tif 000003
【図２】
2004120643.tif 000004
【図３】
2004120643.tif 000005
【図４】
2004120643.tif 000006
【図５】
2004120643.tif 000007
【図６】
2004120643.tif 000008
【図７】
2004120643.tif 000009
【図８】
2004120643.tif 000010
【図９】
2004120643.tif 000011